(57)【要約】【課題】店舗内に設置されている機器の所在情報を迅速かつ正確に把握することができる店舗機器所在管理システムを提供すること。【解決手段】管理装置１０は、機器１０１〜１０５を店舗への配送前に、店舗に関する店舗情報、前記機器に関する機器個別情報、および、システムの利用を許可したユーザのユーザ情報を、情報端末２０からの事前登録要求によって事前登録し、携帯情報端末３０は、他の店舗からの移動を含めて機器を店舗に設置する際、設置情報登録要求によって管理装置１０に機器の所在に関する、店舗ごとの店舗機器情報を生成させて機器の店舗への設置情報を登録し、店舗から他の店舗への移動を含んで機器を店舗から撤去する際、撤去情報登録要求によって店舗機器情報内に機器の店舗からの撤去情報を登録する。【選択図】図１
2020173877.tif 000002
【特許請求の範囲】
【請求項１】
複数の店舗内に設置された１以上の機器の所在を、機器識別情報をもとに管理する管理装置と前記管理装置にネットワークを介して接続され前記機器に貼付された機器識別情報を読み取る読取機能を備えた情報端末と前記管理装置に前記ネットワークを介して接続される１以上の携帯情報端末とを備えた店舗機器所在管理システムであって、
前記管理装置は、前記機器を前記店舗への配送前に、前記店舗に関する店舗情報、前記機器に関する機器個別情報、および、システムの利用を許可したユーザのユーザ情報を、前記情報端末からの事前登録要求によって事前登録し、
前記携帯情報端末は、他の店舗からの移動を含めて前記機器を前記店舗に設置する際、設置情報登録要求によって前記管理装置に前記機器の所在に関する前記店舗ごとの店舗機器情報を生成させて前記機器の前記店舗への設置情報を登録し、前記店舗から他の店舗への移動を含んで前記機器を前記店舗から撤去する際、撤去情報登録要求によって前記店舗機器情報内に前記機器の前記店舗からの撤去情報を登録することを特徴とする店舗機器所在管理システム。
【請求項２】
前記店舗機器情報には、前記設置情報登録要求および前記撤去情報登録要求を行った前記ユーザ情報が記録されることを特徴とする請求項１に記載の店舗機器所在管理システム。
【請求項３】
前記店舗機器情報には、前記店舗への登録日付および前記店舗からの撤去日付が記録されることを特徴とする請求項１または２に記載の店舗機器所在管理システム。
【請求項４】
前記機器個別情報には、前記撤去情報登録要求が破棄を伴う場合、前記機器の破棄情報が記録されることを特徴とする請求項１〜３のいずれか一つに記載の店舗機器所在管理システム。
【請求項５】
前記機器個別情報には、前記店舗への登録および前記店舗からの撤去の登録に関する履歴情報が記録されることを特徴とする請求項１〜４のいずれか一つに記載の店舗機器所在管理システム。
【請求項６】
前記携帯情報端末および前記情報端末は、前記機器を指定して前記機器の履歴を取得して表示することを特徴とする請求項５に記載の店舗機器所在管理システム。
【請求項７】
前記機器個別情報には、前記機器の型式を含み、
前記携帯情報端末および前記情報端末は、前記型式を指定して全店舗における指定した型式の機器の保有台数および指定した型式の機器を保有する店舗を取得して表示することを特徴とする請求項１〜６のいずれか一つに記載の店舗機器所在管理システム。
【請求項８】
前記情報端末は、前記機器識別情報が付されたシールを生成するシール生成部を備え、前記事前登録時に前記機器に該シールが貼付されることを特徴とする請求項１〜７のいずれか一つに記載の店舗機器所在管理システム。
【請求項９】
前記管理装置は、前記設置情報登録要求によって前記設置情報の登録が要求された前記機器のうち、前記店舗への設置情報の登録がなされていない前記機器の登録を行うことを特徴とする請求項１〜８のいずれか一つに記載の店舗機器所在管理システム。
【請求項１０】
前記管理装置は、前記設置情報登録要求によって前記設置情報の登録が要求された前記機器のうち、前記店舗への設置情報の登録がなされていない前記機器の情報を前記携帯情報端末に送信し、
前記携帯情報端末は、前記管理装置から送信された設置情報を表示することを特徴とする請求項１〜９のいずれか一つに記載の店舗機器所在管理システム。
【発明の詳細な説明】
【技術分野】
【０００１】
本発明は、コンビニエンスストアやスーパーマーケットなどの店舗内に設置されている機器の所在情報を迅速かつ正確に把握することができる店舗機器所在管理システムに関する。
【背景技術】
【０００２】
一般に、コンビニエンスストアやスーパーマーケットなどの店舗に設置する機器の購入を行う手配・発注システムなどは現在整備されている。しかし、店舗内に設置された機器が、その後店舗間を移動したり、最終的に破棄されるまでの間の設置情報を電子化し、一元管理するシステムの整備は進んでいないのが現状である。
【先行技術文献】
【特許文献】
【０００３】
【特許文献１】特開平１−１３３１９５号公報
【特許文献２】特開２００６−１７４８８１号公報
【特許文献３】特開２００６−４８５８４号公報
【特許文献４】特開２００５−３２７２３１号公報
【発明の概要】
【発明が解決しようとする課題】
【０００４】
ところで、店舗内の機器が個別の管理システムで管理されたり、紙管理されている場合、本来１つの機器であるべきものが管理上、複数の店舗に跨って登録されてしまうことが発生し、正確な管理を行うことができない場合が生じる。また、店舗内に設置されている機器が新規に購入したものなのか、他の店舗から移動したものなのかを迅速に判別することができない。
【０００５】
本発明は、上記に鑑みてなされたものであって、店舗内に設置されている機器の所在情報を迅速かつ正確に把握することができる店舗機器所在管理システムを提供することを目的とする。
【課題を解決するための手段】
【０００６】
上述した課題を解決し、目的を達成するために、本発明にかかる店舗機器所在管理システムは、複数の店舗内に設置された１以上の機器の所在を、機器識別情報をもとに管理する管理装置と前記管理装置にネットワークを介して接続され前記機器に貼付された機器識別情報を読み取る読取機能を備えた情報端末と前記管理装置に前記ネットワークを介して接続される１以上の携帯情報端末とを備えた店舗機器所在管理システムであって、前記管理装置は、前記機器を前記店舗への配送前に、前記店舗に関する店舗情報、前記機器に関する機器個別情報、および、システムの利用を許可したユーザのユーザ情報を、前記情報端末からの事前登録要求によって事前登録し、前記携帯情報端末は、他の店舗からの移動を含めて前記機器を前記店舗に設置する際、設置情報登録要求によって前記管理装置に前記機器の所在に関する前記店舗ごとの店舗機器情報を生成させて前記機器の前記店舗への設置情報を登録し、前記店舗から他の店舗への移動を含んで前記機器を前記店舗から撤去する際、撤去情報登録要求によって前記店舗機器情報内に前記機器の前記店舗からの撤去情報を登録することを特徴とする。
【０００７】
また、本発明にかかる店舗機器所在管理システムは、上記の発明において、前記機器が前記他の店舗からの移動である場合、設置情報登録要求によって前記店舗への設置情報の登録と前記他の店舗への撤去情報の登録とを行うことを特徴とする。
【０００８】
また、本発明にかかる店舗機器所在管理システムは、上記の発明において、前記店舗機器情報には、前記設置情報登録要求および前記撤去情報登録要求を行った前記ユーザ情報が記録されることを特徴とする。
【０００９】
また、本発明にかかる店舗機器所在管理システムは、上記の発明において、前記店舗機器情報には、前記店舗への登録日付および前記店舗からの撤去日付が記録されることを特徴とする。
【００１０】
また、本発明にかかる店舗機器所在管理システムは、上記の発明において、前記機器個別情報には、前記撤去情報登録要求が破棄を伴う場合、前記機器の破棄情報が記録されることを特徴とする。
【００１１】
また、本発明にかかる店舗機器所在管理システムは、上記の発明において、前記機器個別情報には、前記店舗への登録および前記店舗からの撤去の登録に関する履歴情報が記録されることを特徴とする。
【００１２】
また、本発明にかかる店舗機器所在管理システムは、上記の発明において、前記携帯情報端末および前記情報端末は、前記機器を指定して前記機器の履歴を取得して表示することを特徴とする。
【００１３】
また、本発明にかかる店舗機器所在管理システムは、上記の発明において、前記店舗個別情報は前記機器の型式内容を示す型式情報を含み、前記携帯情報端末および前記情報端末は、前記型式を指定して全店舗における指定した型式の機器の保有台数および指定した型式の機器を保有する店舗を取得して表示することを特徴とする。
【００１４】
また、本発明にかかる店舗機器所在管理システムは、上記の発明において、前記情報端末は、前記機器識別情報が付されたシールを生成するシール生成部を備え、前記事前登録時に前記機器に該シールが貼付されることを特徴とする。
【００１５】
また、本発明にかかる店舗機器所在管理システムは、上記の発明において、前記管理装置は、前記設置情報登録要求によって前記設置情報の登録が要求された前記機器のうち、前記店舗への設置情報の登録がなされていない前記機器の登録を行うことを特徴とする。
【００１６】
また、本発明にかかる店舗機器所在管理システムは、上記の発明において、前記管理装置は、前記設置情報登録要求によって前記設置情報の登録が要求された前記機器のうち、前記店舗への設置情報の登録がなされていない前記機器の情報を前記携帯情報端末に送信し、前記携帯情報端末は、前記管理装置から送信された設置情報を表示することを特徴とすることを特徴とする。
【発明の効果】
【００１７】
本発明によれば、携帯情報端末が、他の店舗からの移動を含めて機器を店舗に設置する際、設置情報登録要求によって管理装置に機器の所在に関する店舗ごとの店舗機器情報を生成させて機器の店舗への設置情報を登録し、店舗から他の店舗への移動を含んで機器を店舗から撤去する際、撤去情報登録要求によって店舗機器情報内に機器の店舗からの撤去情報を登録するようにしている。この結果、店舗内に設置されている機器の所在情報を迅速かつ正確に把握することができる。
【図面の簡単な説明】
【００１８】
【図１】図１は、本発明の実施の形態である店舗機器所在管理システム１が適用された状態における店舗と機器との流れを示す模式図である。
【図２】図２は、店舗機器所在管理システムの構成を示すブロック図である。
【図３】図３は、ユーザ情報の登録例を示す図である。
【図４】図４は、店舗情報の登録例を示す図である。
【図５】図５は、機器個別情報の登録例を示す図である。
【図６】図６は、型式情報の登録例を示す図である。
【図７】図７は、店舗Ａにおける店舗機器情報内の設置情報の登録の一例を説明する説明図である。
【図８】図８は、図７に示した設置情報を含む店舗機器情報の一例を示す図である。
【図９】図９は、店舗Ｂにおける店舗機器情報内の設置情報の登録の一例を説明する説明図である。
【図１０】図１０は、図９に示した設置情報を含む店舗機器情報の一例を示す図である。
【図１１】図１１は、店舗Ａにおける店舗機器情報内の撤去情報の登録の一例を説明する説明図である。
【図１２】図１２は、図１１に示した撤去情報を含む店舗機器情報の一例を示す図である。
【図１３】図１３は、機器情報の取得の一例を示す説明図である。
【図１４】図１４は、取得した機器情報の表示例を示す図である（その１）。
【図１５】図１５は、取得した機器情報の表示例を示す図である（その２）。
【図１６】図１６は、破棄情報を含む機器個別情報の一例を示す図である。
【図１７】図１７は、機器の撤去情報の登録を行わずに直接移動した場合における履歴情報の一例を示す図である。
【図１８】図１８は、機器の撤去情報を登録した後に機器を移動した場合の履歴情報の一例を示す図である。
【図１９】図１９は、破棄情報および履歴情報から取得した機器情報の一例を示す図である。
【図２０】図２０は、履歴情報から取得した機器情報の一例を示す図である。
【図２１】図２１は、店舗Ａにおける店舗機器情報の一例を示す図である。
【図２２】図２２は、店舗Ｂにおける店舗機器情報の一例を示す図である。
【図２３】図２３は、店舗Ｂにおける店舗機器情報内の設置情報の登録の一例を説明する説明図である。
【図２４】図２４は、読取方法選択画面が表示された携帯情報端末を示す図である。
【図２５】図２５は、取得した機器情報の表示例を示す図である。
【図２６】図２６は、図２３に示した設置情報を含む店舗機器情報の一例を示す図である。
【図２７】図２７は、店舗Ａにおける撤去情報を含む店舗機器情報の一例を示す図である。
【発明を実施するための形態】
【００１９】
以下、添付図面を参照してこの発明を実施するための形態について説明する。
【００２０】
（全体構成および概要）
図１は、本発明の実施の形態である店舗機器所在管理システム１が適用された状態における店舗と機器との流れを示す模式図である。また、図２は、店舗機器所在管理システム１の構成を示すブロック図である。図１および図２において、本実施の形態では、店舗Ａ，Ｂに設置すべき各種型式の機器１０１〜１０５が工場から一旦、倉庫に納入される。倉庫に配置された情報端末２０は、図２に示すように、シール生成部２１を備える。情報端末２０は、機器１０１〜１０５を店舗Ａ，Ｂへの配送前に、店舗機器所在管理システム１の利用を許可したユーザのユーザ情報Ｄ１、および、機器１０１〜１０５に関する機器個別情報Ｄ３、機器１０１〜１０５の型式内容を示す型式情報Ｄ４を管理装置１０に対して事前登録要求して事前登録する。この事前登録時に、各機器に対応する機器個別情報Ｄ３には、店舗機器所在管理システム１内で固有の識別コードが登録される。シール生成部２１は、各識別コードが表示されたシール５０を生成する。そして、このシール５０は、各識別コードに対応する各機器１０１〜１０５に貼付される。なお、この時点では、各機器１０１〜１０５は、どの店舗Ａ，Ｂに配置されるか未定である。
【００２１】
その後、機器１０１〜１０３が店舗Ａに配送され、機器１０４，１０５が店舗Ｂに配送される。店舗Ａでの担当者は、携帯情報端末３０を有している。図２に示すように、携帯情報端末３０は、上述したシール５０上の識別コードを読み取る読取機能３１を有する。店舗Ａでの担当者は、搬入された機器１０１〜１０３を設置した後、携帯情報端末３０を用いて、店舗Ａ内の店舗機器情報Ｄ５を管理装置１０内に生成し、この店舗Ａ内の店舗機器情報Ｄ５内に機器１０１〜１０３の設置情報を登録する。この登録時に、読取機能３１によって読み取った識別コードが用いられる。
【００２２】
一方、後日、機器１０４，１０５が倉庫から店舗Ｂに搬入され、同時に店舗Ａ内の機器１０３が店舗Ｂに移動される。店舗Ｂでの担当者は、店舗Ａでの処理と同様に、機器１０３〜１０５の識別コードを読み取り、この識別コードを用いて、管理装置１０内に、店舗Ｂ内の店舗機器情報Ｄ５を生成し、店舗Ｂ内の店舗機器情報Ｄ５内に機器１０３〜１０５の設置情報を登録する。
【００２３】
このままの店舗機器情報Ｄ５では、店舗Ａと店舗Ｂとの双方に、機器１０３が重複登録されている。そこで、店舗Ｂに機器１０３が設置されたときに、店舗Ｂの店舗機器情報Ｄ５に設置情報を登録し、その後、管理装置１０がこの登録に伴って機器１０３の識別コードを参照して店舗Ａの店舗機器情報Ｄ５に機器１０３の撤去情報を登録する。なお、管理装置１０が機器１０３の撤去情報を登録するのではなく、店舗Ａの担当者が携帯情報端末３０を用いて店舗Ａの店舗機器情報Ｄ５に機器１０３の撤去情報を登録してもよい。
【００２４】
また、店舗Ｂの機器１０３をどの店舗にも移動せずに破棄する場合、店舗Ｂの担当者は、携帯情報端末３０を用いて管理装置１０内の機器個別情報Ｄ３内に登録されている機器１０３の破棄情報を登録する。
【００２５】
なお、図２に示すように、店舗機器所在管理システム１は、管理装置１０、情報端末２０、複数の携帯情報端末３０がネットワークＮを介して接続される。管理装置１０は、管理部１１とデータベース１２とを有する。管理部１１は、情報端末２０あるいは携帯情報端末３０からのアクセスに対する管理処理を行う。データベース１２は、ユーザ情報Ｄ１、店舗情報Ｄ２、機器個別情報Ｄ３、型式情報Ｄ４、および、店舗機器情報Ｄ５を保持する。なお、上述したように、店舗機器情報Ｄ５は、各店舗ごとに設けられる。また、上述したように情報端末２０は、シール生成部２１を有する。さらに、携帯情報端末３０は、読取機能３１を有する。
【００２６】
（事前準備）
まず、倉庫における情報端末２０による事前準備処理について説明する。この事前準備処理では、ユーザ情報Ｄ１、店舗情報Ｄ２、機器個別情報Ｄ３、型式情報Ｄ４の登録を行う。機器個別情報Ｄ３および型式情報Ｄ４の登録は、倉庫に各機器１０１〜１０５が搬送されたときに行い、かつ、同時に識別コードが表示されたシール５０を貼付する。
【００２７】
図３に示すように、ユーザ情報Ｄ１は、属性としてユーザＩＤ、パスワード、および担当者の名前が登録される。また、図４に示すように、店舗情報Ｄ２は、属性として店舗ＩＤ、店舗名、住所（店舗の住所）、連絡先(電話番号)、担当者（担当者のユーザＩＤ）が登録される。また、図５に示すように、機器個別情報Ｄ３は、１台ごとに登録され、属性として識別コード（機器の識別コード）、シリアルＮｏ．（機器のシリアルＮｏ．）、型式（機器の型式）、登録日付が登録される。登録日付は、機器個別情報Ｄ３に登録した日付である。識別コードは、機器に貼付されるシール５０に表示されるものである。また、図６に示すように、型式情報Ｄ４は、属性として、型式、メーカー、名称、取扱説明書、保守マニュアルが登録される。なお、取扱説明書と保守マニュアルは、電子ファイルがある場合に登録する。例えば、型式１０には、メーカー「ＡＢＣ社」、名称「ＸＸＸケース」、取扱説明書「型式１０＿取説．ｐｄｆ」、保守マニュアル「型式１０＿保守．ｐｄｆ」が登録される。
【００２８】
（店舗機器情報の生成および登録）
つぎに、店舗機器情報Ｄ５の生成および登録について説明する。この店舗機器情報Ｄ５は、担当者が携帯情報端末３０を用いて店舗において設置情報登録コマンドを管理装置１０に送信することによって生成される。図２４に示すように、携帯情報端末３０には、店舗機器情報Ｄ５を生成および登録する際に使用する「個別読取」と「一括読取登録」とを選択する読取方法選択画面が表示される。本実施の形態では、この読取方法選択画面において「個別読取」を選択した場合について説明する。
【００２９】
具体的には、図７に示すように、店舗Ａにおいて、新規購入の機器１０１〜１０３が搬入されて設置されると、担当者Ｙ（ユーザＩＤ＝ｕｓｒ００１）は、図２４に示す、携帯情報端末３０の「読取方法選択画面」で、「個別読取」を選択し、携帯情報端末３０の読取機能３１を用いて各機器１０１〜１０３の識別コードを読み取る。その後、担当者Ｙは、携帯情報端末３０から管理装置１０に対して設置情報登録コマンド（コマンド種別＝０１０１）を送信する。設置情報登録コマンドには、コマンド種別＝０１０１、ユーザＩＤ＝ｕｓｒ００１、店舗ＩＤ＝００１−００００１、件数＝３、識別コード＝１２３４５６７８、識別コード＝２３４５６７８１、識別コード＝３４５６７８１２が含まれる。なお、図７では、３台の機器１０１〜１０３を同時に登録要求しているが、１台ずつ登録要求を行っても良い。
【００３０】
管理装置１０は、設置情報登録コマンドを受けると、このコマンド内容をもとに、図８に示した店舗Ａ（店舗ＩＤ＝００１−００００１）の店舗機器情報Ｄ５Ａを生成する。店舗機器情報Ｄ５には、属性として、識別コード、設置日付、担当者（設置登録時）、撤去日付、担当者（撤去登録時）があり、店舗機器情報Ｄ５Ａには、３台の識別コード、設置日付、担当者が登録される。
【００３１】
店舗Ｂでも、同様にして、図９に示すように、新規購入の機器１０４，１０５および店舗Ａから移動された機器１０３が搬入されて設置されると、担当者Ｙ（ユーザＩＤ＝ｕｓｒ００１）は、携帯情報端末３０の読取機能３１を用いて各機器１０３〜１０５の識別コードを読み取る。その後、担当者Ｙは、携帯情報端末３０から管理装置１０に対して設置情報登録コマンド（コマンド種別＝０１０１）を送信する。設置情報登録コマンドには、コマンド種別＝０１０１、ユーザＩＤ＝ｕｓｒ００１、店舗ＩＤ＝００１−００００２、件数＝３、識別コード＝４５６７８１２３、識別コード＝５６７８１２３４、識別コード＝３４５６７８１２が含まれる。
【００３２】
管理装置１０は、店舗Ｂからの設置情報登録コマンドを受けると、このコマンド内容をもとに、図１０に示した店舗Ｂ（店舗ＩＤ＝００１−００００２）の店舗機器情報Ｄ５Ｂを生成する。店舗機器情報Ｄ５には、属性として、識別コード、設置日付、担当者（設置登録時）、撤去日付、担当者（撤去登録時）があり、店舗機器情報Ｄ５Ｂには、３台の識別コード、設置日付、担当者が登録される。
【００３３】
ここで、店舗機器情報Ｄ５Ａ，Ｄ５Ｂでは、登録された機器が新規購入品の機器であるのか、他店舗から移動した機器であるのかを判別することができない。また、店舗機器情報Ｄ５Ａ，Ｄ５Ｂでは、移動した機器１０３が重複登録されている。したがって、管理装置１０は、店舗機器情報Ｄ５Ａ，Ｄ５Ｂの登録時に、各店舗の店舗機器情報Ｄ５を検索して、登録された機器の識別コードが同じで、設置状態となっているものが他にあるかをチェックする。
【００３４】
図１０に示すように、店舗機器情報Ｄ５Ｂの機器登録時に、店舗機器情報Ｄ５Ａ内に同じ識別コード「３４５６７８１２」が存在し、かつ、設置状態になっているため、管理装置１０は、店舗機器情報Ｄ５Ａの機器１０３（識別コード「３４５６７８１２」）に撤去情報を登録した店舗機器情報Ｄ５Ａ１を生成する。店舗機器情報Ｄ５Ａ１の撤去情報には、属性として、撤去日付と担当者が登録される。
【００３５】
なお、図１０では、管理装置１０が自動的に撤去情報を登録していたが、担当者が自主的に撤去情報を登録してもよい。この場合、図１１に示すように、店舗Ａから機器１０３を撤去する場合、担当者Ｚ（ユーザＩＤ＝ｕｓｒ００２）は、携帯情報端末３０の読取機能３１を用いて機器１０３の識別コードを読み取る。その後、担当者Ｚは、携帯情報端末３０から管理装置１０に対して撤去情報登録コマンド（コマンド種別＝０１０２）を送信する。撤去情報登録コマンドには、コマンド種別＝０１０２、ユーザＩＤ＝ｕｓｒ００２、店舗ＩＤ＝００１−００００１、件数＝１、識別コード＝３４５６７８１２が含まれる。
【００３６】
管理装置１０は、店舗Ａからの撤去情報登録コマンドを受けると、このコマンド内容をもとに、図１２に示した店舗Ａ（店舗ＩＤ＝００１−００００１）の店舗機器情報Ｄ５Ａに撤去情報を登録した店舗機器情報Ｄ５Ａ２を生成する。この場合の担当者は、ユーザＩＤ＝ｕｓｒ００２となる。
【００３７】
（携帯情報端末による店舗の機器情報の取得）
つぎに、携帯情報端末による店舗の機器情報の取得処理について説明する。まず、担当者は、携帯情報端末３０を用いて、機器情報取得コマンドを管理装置１０に送信する。
【００３８】
具体的には、図１３に示すように、担当者Ｙ（ユーザＩＤ＝ｕｓｒ００１）が送信する機器情報取得コマンドには、コマンド種別＝０２０１、ユーザＩＤ＝ｕｓｒ００１、店舗ＩＤ＝００１−００００１が含まれる。この機器情報取得コマンドを受信した管理装置１０は、まず、指示された店舗ＩＤの店舗機器情報Ｄ５を検索して、撤去日付が登録されていない識別コードと設置日付とを取得する。さらに機器個別情報Ｄ３を検索して、取得した識別コードに対応する「シリアルＮｏ．」、「型式」、「登録日付」を取得する。さらに、型式情報Ｄ４を参照して、取得した型式に対応する「名称」、「メーカー」を取得する。なお、型式には、いくつかの機器で同じ型式があるので、取得した型式については、型式情報に登録されている「取扱説明書」と「保守マニュアル」の電子ファイル名を取得する。管理装置１０は、取得した機器情報を携帯情報端末３０側に返信する。
【００３９】
図１４および図１５は、携帯情報端末３０が取得した機器情報を表示した一例を示している。なお、図１４および図１５では、取得した機器情報を分割して示している。これによって、携帯情報端末３０側では、店舗Ａには、２台の機器が設置されていて、各機器の「シリアルＮｏ．」、「名称」、「型式」、「メーカー」、「識別コード」、「登録日付」、店舗への「設置日付」などを容易に確認できる。なお、図１５において、取扱説明書と保守マニュアルにおいて下線付きのファイル名がクリックされると、そのファイルが携帯情報端末３０の画面上に表示され、必要な情報を簡易かつ迅速に入手することができる。
【００４０】
（破棄情報の登録）
つぎに、携帯情報端末による機器の破棄情報の登録について説明する。ここで、破棄とは、どの店舗にも移動しない撤去を意味する。この破棄情報の登録を行う場合、撤去情報登録コマンド内に「破棄＝あり／なし」を追加する。破棄のための撤去を行う場合、撤去情報登録コマンド内に「破棄＝あり」を含めて送信する。例えば、店舗Ｂの識別コード「３４５６７８１２」の機器を破棄のために撤去した場合、撤去情報登録コマンドには、コマンド種別＝０１０２、ユーザＩＤ＝ｕｓｒ００１、店舗ＩＤ＝００１−００００２、件数＝１、識別コード＝３４５６７８１２、破棄＝あり、が含まれる。この撤去情報登録コマンドを受信した管理装置１０は、図１６のＤ３ａに示すように、機器個別情報Ｄ３内に破棄情報、すなわち、破棄日付が登録される。すなわち、識別コード＝３４５６７８１２の機器（ＤＥＦ社の型式３０のコーヒーマシン）は、２０１５／１０／１２に破棄されたことが登録される。これによって、全店舗における、指定した型式の機器の保有台数を抽出することができる。
【００４１】
（履歴の記録）
つぎに、携帯情報端末による機器の履歴の記録について説明する。履歴の記録は、機器個別情報Ｄ３に「破棄日付」の他に、履歴情報の管理用に「回数」と「履歴」とを追加する。この「履歴」には、「店舗ＩＤ」と「日付」とのデータを組み合わせる。
【００４２】
管理装置１０は、設置情報コマンドを受信すると、「回数」を更新（インクリメント）し、その回数の「履歴」欄に、設置した「店舗ＩＤ」と「設置日付」とを記録する。また、管理装置１０は、撤去情報登録コマンド（破棄＝あり）を受信すると、「破棄日付」を登録し、「回数」を更新し、その回数の「履歴」欄に、設置した「店舗ＩＤ」と「破棄日付」とを記録する。また、管理装置１０は、撤去情報登録コマンド（破棄＝なし）を受信すると、「回数」を更新し、その回数の「履歴」欄に、設置した「店舗ＩＤ」をなしとして「撤去日付」のみを記録する。
【００４３】
例えば、店舗Ａに設置された型式３０のコーヒーマシン（識別コード＝３４５６７８１２）の撤去情報登録をしないで、店舗Ｂに直接移動して設置し、その後破棄した場合、図１７に示した履歴情報を含む機器個別情報Ｄ３ｂとして登録される。
【００４４】
また、例えば、店舗Ａに設置された型式３０のコーヒーマシン（識別コード＝３４５６７８１２）の撤去情報登録を行ってから、店舗Ｂに移動して設置し、その後破棄した場合、図１８に示した履歴情報を含む機器個別情報Ｄ３ｃとして登録される。
【００４５】
上述した破棄情報の登録および履歴の追加によって、指定した型式の機器であって破棄した機器を除外した保有台数を抽出することができる。さらに、履歴から、その型式の機器が設置されている店舗を知ることができる。この場合、全店舗の店舗機器情報Ｄ５を検索することなく、機器個別情報Ｄ３を参照するのみで図１９に示した機器情報を得ることができる。
【００４６】
また、上述した履歴の追加によって、例えば、図２０に示すように、識別コードを指定して機器の履歴情報（登録→設置・撤去→破棄）を知ることができる。
【００４７】
上述した実施の形態では、機器を店舗に設置した時、または、機器を店舗から撤去した時に、機器に貼付されたシール５０の識別コードを携帯情報端末３０で読み取り、管理装置１０側に送信するという簡易な操作によって、店舗に設置されている機器を管理することができる。
【００４８】
特に、機器の点検整備、資産管理、店舗改装計画などにおいて、店舗の機器の情報収集として、店舗に現時点で存在する機器を知ることができ、機器の履歴も知ることができ、担当者は、出先でも携帯情報端末３０から書類などを閲覧できる。また、不具合対応として、不具合が発生した型式の機器が設置されている店舗を容易に知ることができるので、迅速に機器の状態を確認することができる。さらに、新型機器の入替に関し、指定した型式の機器の台数と設置店舗とを容易に得ることができるので、入替計画を容易かつ迅速に設定することができる。
【００４９】
（店舗機器情報の生成および登録についての他の実施形態）
本実施の形態では、店舗機器情報Ｄ５の生成および登録において、携帯情報端末３０の読取方法選択画面で「一括読取登録」を選択した場合について説明する。また、この実施の形態では、店舗機器情報Ｄ５の生成および登録の際に、既存設備がある場合について説明する。店舗機器情報Ｄ５は、担当者が携帯情報端末３０を用いて店舗において設置情報登録コマンドを管理装置１０に送信することによって生成される。
【００５０】
図２１に示すように、店舗Ａの店舗機器情報Ｄ５Ａ３に既存の機器３台が登録されている。また、図２２に示すように、店舗Ｂの店舗機器情報Ｄ５Ｂ３に既存の機器１台が登録されている。
【００５１】
図２３に示すように、店舗Ｂには、既存の設備である機器１０４と、店舗Ａから移動してきた機器１０３と、新規購入の機器１０５とが設置されている。担当者Ｙ（ユーザＩＤ＝ｕｓｒ００１）は、どの機器が既存の設備であるか、また、どの機器が店舗Ａから移動してきた機器であるか、どの機器が新規購入の機器であるかを知らない。担当者Ｙは、図２４に示す、携帯情報端末３０の「読取方法選択画面」で、「一括読取登録」を選択し、読取機能３１を用いて既存の設備１０４を含む各機器１０３〜１０５の識別コードを読み取る。その後、担当者Ｙは、携帯情報端末３０から管理装置１０に対して設置情報登録コマンド（コマンド種別＝０１０１）を送信する。設置情報登録コマンドには、コマンド種別＝０１０１、ユーザＩＤ＝ｕｓｒ００１、店舗ＩＤ＝００１−００００２、件数＝３、識別コード＝４５６７８１２３、識別コード＝５６７８１２３４、識別コード＝３４５６７８１２が含まれる。
【００５２】
管理装置１０は、店舗Ｂからの設置情報登録コマンドを受けると、このコマンド内容をもとに、店舗Ｂの店舗機器情報Ｄ５Ｂ３を検索して、登録が要求された機器の識別コードと同じで、設置状態となっているものがあるかをチェックする。図２２に示すように、店舗機器情報Ｄ５Ｂ３には、今回登録を要求している識別コード「４５６７８１２３」が存在し、かつ、設置状態になっている。従って、管理装置１０は、識別コード「４５６７８９１２３」以外の機器の情報を取得し、その情報を携帯情報端末３０に送る。具体的には、管理装置１０は、識別コードに対応する「シリアルＮｏ．」、「型式」、「登録日付」を取得する。さらに、型式情報Ｄ４を参照して、取得した型式に対応する「名称」、「メーカー」を取得する。なお、型式には、いくつかの機器で同じ型式があるので、取得した型式については、型式情報に登録されている「取扱説明書」と「保守マニュアル」の電子ファイル名を取得する。
【００５３】
図２５は、携帯情報端末３０が取得した機器情報を表示した一例を示している。これによって、携帯情報端末３０側では、登録すべき各機器の「シリアルＮｏ．」、「名称」、「型式」、「メーカー」、「識別コード」、「登録日付」、店舗への「設置日付」などを容易に確認できる。なお、図２５において、取扱説明書と保守マニュアルにおいて下線付きのファイル名がクリックされると、そのファイルが携帯情報端末３０の画面上に表示され、必要な情報を簡易かつ迅速に入手することができる。
【００５４】
このようにして、携帯情報端末３０の画面には、登録の必要のある識別コード＝５６７８１２３４と識別コード＝３４５６７８１２の機器２台の情報が表示される。担当者Ｙは、画面に表示された内容を確認した後、携帯情報端末３０から管理装置１０に対して設置情報登録コマンド（コマンド種別＝０１０１）を再び送信する。設置情報登録コマンドには、コマンド種別＝０１０１、ユーザＩＤ＝ｕｓｒ００１、店舗ＩＤ＝００１−００００２、件数＝２、識別コード＝５６７８１２３４、識別コード＝３４５６７８１２が含まれる。
【００５５】
管理装置１０は、設置情報登録コマンドを再び受けると、このコマンド内容をもとに、図２６に示した店舗Ｂ（店舗ＩＤ＝００１−００００２）の店舗機器情報Ｄ５Ｂ４を生成する。店舗機器情報Ｄ５には、属性として、識別コード、設置日付、担当者（設置登録時）、撤去日付、担当者（撤去登録時）があり、店舗機器情報Ｄ５Ｂ４には、新しく２台の識別コード、設置日付、担当者が登録される。
【００５６】
ここで、管理装置１０は、各店舗の店舗機器情報Ｄ５を検索して、登録された機器の識別コードが同じで、設置状態となっているものが他にあるかをチェックする。
【００５７】
店舗機器情報Ｄ５Ｂ４の機器登録時に、店舗機器情報Ｄ５Ａ３内に同じ識別コード「３４５６７８１２」が存在し、かつ、設置状態になっているため、管理装置１０は、図２７に示すように、店舗機器情報Ｄ５Ａ３の機器１０３（識別コード「３４５６７８１２」）に撤去情報を登録した店舗機器情報Ｄ５Ａ４を生成する。店舗機器情報Ｄ５Ａ４の撤去情報には、属性として、撤去日付と担当者が登録される。
【００５８】
なお、本実施の形態では、管理装置１０が自動的に撤去情報を登録していたが、先の実施の形態と同様に担当者が自主的に撤去情報を登録してもよい。
【００５９】
上述の実施の形態では、一度に読み取った複数機器の識別情報から設置情報の登録が必要な機器をシステムが自動的に判断するので、事前に設備の状況を担当者が把握する必要がなくなり、複数機器の設置情報の登録にかかる作業時間が短縮されるという効果が図れる。
【符号の説明】
【００６０】
１  店舗機器所在管理システム
１０  管理装置
１１  管理部
１２  データベース
２０  情報端末
２１  シール生成部
３０  携帯情報端末
３１  読取機能
５０  シール
１０１〜１０５  機器
Ｄ１  ユーザ情報
Ｄ２  店舗情報
Ｄ３  機器個別情報
Ｄ４  型式情報
Ｄ５  店舗機器情報
【図１】
2020173877.tif 000003
【図２】
2020173877.tif 000004
【図３】
2020173877.tif 000005
【図４】
2020173877.tif 000006
【図５】
2020173877.tif 000007
【図６】
2020173877.tif 000008
【図７】
2020173877.tif 000009
【図８】
2020173877.tif 000010
【図９】
2020173877.tif 000011
【図１０】
2020173877.tif 000012
【図１１】
2020173877.tif 000013
【図１２】
2020173877.tif 000014
【図１３】
2020173877.tif 000015
【図１４】
2020173877.tif 000016
【図１５】
2020173877.tif 000017
【図１６】
2020173877.tif 000018
【図１７】
2020173877.tif 000019
【図１８】
2020173877.tif 000020
【図１９】
2020173877.tif 000021
【図２０】
2020173877.tif 000022
【図２１】
2020173877.tif 000023
【図２２】
2020173877.tif 000024
【図２３】
2020173877.tif 000025
【図２４】
2020173877.tif 000026
【図２５】
2020173877.tif 000027
【図２６】
2020173877.tif 000028
【図２７】
2020173877.tif 000029